(57)【要約】【課題】壁や障害物等で洗面器と電気温水器との位置関係が決まってしまう場合でも、配管を引き回す必要がなく、配管施工が簡便で配管の意匠性を向上させた電気温水器を提供する。さらに、少量のお湯が必要な場合でも迅速に沸かし上げが完了するとともに、消費電力を最小限とした節電効果のある電気温水器を提供する。【解決手段】ヒータおよび温度センサーを備えた貯湯槽と前記貯湯槽へ水を供給する給水口と、前記貯湯槽からお湯を吐出する出湯口と、前記貯湯槽で発生する膨張水を排出する排出口を側面に備えた電気温水器において、前記ヒータを前記貯湯槽の上下に２箇所設け、どちらのヒータを使用するか選択可能な切替スイッチを設けた。【選択図】  図３
2004184014.tif 000002
【特許請求の範囲】
【請求項１】
ヒータおよび温度センサーを備えた貯湯槽と前記貯湯槽へ水を供給する給水口と、前記貯湯槽からお湯を吐出する出湯口と、前記貯湯槽で発生する膨張水を排出する排出口を側面に備えた電気温水器において、前記ヒータを前記貯湯槽の上下に２箇所設け、どちらのヒータを使用するか選択可能な切替スイッチを設けたことを特徴とする電気温水器。
【請求項２】
前記温度センサーを、前記貯湯槽の天面と底面の２箇所に配置したことを特徴とする請求項１に記載の電気温水器。
【請求項３】
前記切替スイッチを、電気温水器の天地を感知し前記ヒータへの通電を自動切替え可能としたことを特徴とする請求項１ないし請求項２に記載の電気温水器。
【請求項４】
ヒータを備えた貯湯槽と前記貯湯槽へ水を供給する給水口と、前記貯湯槽からお湯を吐出する出湯口と、前記貯湯槽で発生する膨張水を排出する排出口を側面に備えた電気温水器において、スイッチ類などの操作部を側面に配置し、電気温水器外装ケースの前面板および背面板をそれぞれ取外し可能としたことを特徴とする電気温水器。
【発明の詳細な説明】
【０００１】
【発明の属する技術分野】
本発明は、ヒータおよび温度センサーを備えた貯湯槽を有する電気温水器に関するものである。
【０００２】
【従来の技術】
従来より、給水源より給水配管を通じて電気温水器内の貯湯槽に水を供給し、貯湯槽に備えたヒータで水を温水化し、その温水を出湯配管を通じて、水栓から吐出させて使用することは、広く行われている。この場合、給水は貯湯槽の底から入れ、また出湯は貯湯槽の上から出すのが効率的であるため、電気温水器に備える給水口や出湯口は、電気温水器側面に配置する構造（給水口を側面下部に配置し、出湯口を側面上部に配置する構造）が広く普及している（例えば、特許文献１参照。）。従来のこの種の電気温水器の設置図を図８に示す。
【０００３】
【特許文献１】
特開２００１−８２８０６号公報（第５図）
【０００４】
図８において、１００は手洗い器１０１付近に設置された電気温水器で、電気ヒータ１０２と温度センサー１０３を備えたタンク１０８を内部に備えており、電気ヒータ１０２の加熱によりタンク１０８内の水を設定温度まで温水化し、かつ保温する。この時、設定温度に達したことを温度センサー１０３で感知すると、ヒータ１０２への通電を停止するしくみになっている。１０４は温水を吐出する水栓であり、水栓１０４に備えたバルブ１０５を開くと、給水源からの水は、給水管１０６に設けられた減圧弁１０７で設定圧に減圧されたあと、タンク１０８に給水される。そして、タンク１０８内に貯湯された温水が給湯管１０９を介して、水栓１０４へ供給される。一方、電気ヒータ１０２の加熱により発生する膨張水は、設定圧を超えると弁が開く逃し弁１１０より膨張水排出管１１１へ導水され、排水ホッパー１１２を介して、洗面器１０１の排水管１１３へ排出される。
【０００５】
【発明が解決しようとする課題】
しかしながら、上記した従来の構成の電気温水器では左右面のどちらか一面に給水口および出湯口および膨張水排出口を配置しているため、壁や障害物等で洗面器と電気温水器との位置関係が決まってしまう場合、施工が実施しにくいうえ、配管の引き回しによる意匠性の低下を招くという問題があった。さらに、少量のお湯が必要な場合でも、タンク全量を加熱する必要があるため、沸かし上げに時間がかかるとともに、必要以上の電力を消費してしまうという問題があった。
【０００６】
本発明は、上記課題を解決するためになされたもので、本発明の目的は、壁や障害物等で洗面器と電気温水器との位置関係が決まってしまう場合でも、配管を引き回す必要がなく、配管施工が簡便で配管の意匠性を向上させた電気温水器を提供することにある。さらに、少量のお湯が必要な場合でも迅速に沸かし上げが完了するとともに、消費電力を最小限とした節電効果のある電気温水器を提供することにある。
【０００７】
【課題を解決するための手段及びその作用・効果】
上記目的を達成するために請求項１は、電気ヒータおよび温度センサーを備えた貯湯槽と前記貯湯槽へ水を供給する給水口と、前記貯湯槽からお湯を吐出する出湯口と、前記貯湯槽で発生する膨張水を排出する排出口を側面に備えた電気温水器において、前記電気ヒータを前記貯湯槽の上下に２箇所設け、どちらの電気ヒータを使用するか選択可能な切替スイッチを設けた。よって、電気温水器の天地を逆設置することで左右面どちらからでも配管を接続することができ、壁や障害物等で洗面器と電気温水器との位置関係が決まってしまう場合でも、配管も引き回す必要がなく施工が容易となり、配管の意匠性も向上する。
【０００８】
請求項２では、請求項１に記載の電気温水器において、前記温度センサーを、前記貯湯槽の天面と底面の２箇所に配置した。よって少量の湯を使用したい場合に、貯湯槽上部に配置したヒータのみを作動させることで、迅速に沸かし上げが完了するとともに、消費電力が最小限でよく節電効果がある。
【０００９】
請求項３では、請求項１に記載の電気温水器において、前記切替スイッチを、電気温水器の天地を感知し前記ヒータへの通電を自動切替え可能とした。よって、使用するヒータを手動で設定する必要がなく、誤施工の防止と施工の簡便化を図ることができる。
【００１０】
請求項４では、ヒータを備えた貯湯槽と前記貯湯槽へ水を供給する給水口と、前記貯湯槽からお湯を吐出する出湯口と、前記貯湯槽で発生する膨張水を排出する排出口を側面に備えた電気温水器において、スイッチ類などの操作部を側面に配置し、電気温水器外装ケースの前面板および背面板をそれぞれ取外し可能とした。よって、電気温水器の裏表を逆設置することで左右面どちらからでも配管を接続することができ、壁や障害物等で洗面器と電気温水器との位置関係が決まってしまう場合でも、配管も引き回す必要がなく施工が容易となり、配管の意匠性も向上する。
【００１１】
【発明の実施の形態】
以下、本発明の実施の形態を、図面により詳細に説明する。
【００１２】
図１および図２は、本発明の第一の実施形態を示す電気温水器１の設置図である。電気温水器１は、手洗い器１０に設置された水栓１１へ温水を供給する。図２は、図１における電気温水器１の天地を逆にし、手洗い器１０に対する電気温水器１の取付け位置を左右逆にしたものである。
【００１３】
図１および図２において、電気温水器１は、電気ヒータ１２および１３の２個と温度センサー１４を備えたタンク１５を内部に備えており、電気ヒータ１２または１３の加熱によりタンク１５内の水を設定温度まで温水化し、かつ保温する。切替スイッチ１６は電気ヒータ１２を使用するか電気ヒータ１３を使用するかを選択するためのスイッチで、電気温水器１の洗面器１０に対する設置方向によって決まる電気ヒータ１２および１３の上下関係により、下側になる電気ヒータを切替スイッチ１６により選択する。また、設定温度に達したことを温度センサー１４で感知すると、切替スイッチ１６にて選択したヒータ１２または１３への通電を停止するしくみになっている。１１は温水を吐出する水栓であり、水栓１１に備えたバルブ１７を開くと、給水源からの水は、給水管１８に設けられた減圧弁１９で設定圧に減圧されたあと、タンク１５に給水される。そして、タンク１５内に貯湯された温水が給湯管２０を介して、水栓１１へ供給される。一方、電気ヒータ１２または１３の加熱により発生する膨張水は、設定圧を超えると弁が開く逃し弁２１より膨張水排出管２２へ導水され、排水ホッパー２３を介して、洗面器１０の排水管２４へ排出される。
【００１４】
以上のように、本実施例においては、電気温水器の天地を逆設置することで左右面どちらからでも配管を接続することができるため、壁や障害物等で洗面器と電気温水器との位置関係が決まってしまう場合でも、配管も引き回す必要がなく施工が容易となり、配管の意匠性も向上する。
【００１５】
図３は、本発明の第二の実施形態を示す電気温水器２の設置図である。電気温水器２は、手洗い器１０に設置された水栓１１へ温水を供給する。この電気温水器２は、図１および図２に示した電気温水器１から、温度センサーを１個から２個に増やし（温度センサー２５と温度センサー２６）、その位置をタンク１５の天面と底面の２箇所に配置したもので、他の構造は共通であるため省略する。
【００１６】
使用者が切替スイッチ１６で上側の電気ヒータ１３への通電を選択すると、電気ヒータ１３より上にあるタンク１５内の水のみが温水化され、タンク１５の天面に配置した温度センサー２５が設定温度に達したことを感知すると、ヒータ１３への通電を停止し、沸かし上げを完了させる。なお本実施例においては、前述の第一の実施例と同様、電気温水器２の天地を逆に設置しても、同様の作業が実施できることは言うまでもない。
【００１７】
以上のように、本実施例においては、少量の湯を使用したい場合に、タンク上部に配置したヒータのみを作動させることで、迅速に沸かし上げが完了するとともに、消費電力が最小限でよく節電効果がある。
【００１８】
図４は、本発明の第三の実施形態を示す電気温水器３の設置図である。電気温水器３は、手洗い器１０に設置された水栓１１へ温水を供給する。この電気温水器３は、図１および図２に示した電気温水器１に、切替スイッチ１６の代替に天地感知センサー２７を付加したもので、他の構造は共通であるため省略する。
【００１９】
施工者が建築躯体の状況に応じて、電気温水器３を手洗い器１０の右側か左側に設置する場合、第一の実施例に記述の通り、電気温水器３の天地を逆にすることで右側でも左側でも設置可能となるが、天地感知センサー２７により現在の電気温水器３の天地を感知し、下側になる電気ヒータへの通電を自動的に選択する。
【００２０】
以上のように、本実施例においては、電気温水器の天地を逆設置することで左右面どちらからでも配管を接続できるようにした場合、使用する電気ヒータを手動で設定する必要がなく、誤施工の防止と施工の簡便化を図ることができる。
【００２１】
図５および図６は、本発明の第四の実施形態を示す電気温水器４の設置図である。電気温水器４は、手洗い器１０に設置された水栓１１へ温水を供給する。図６は、図５における電気温水器４の表裏を逆にし、手洗い器１０に対する電気温水器４の取付け位置を左右逆にしたものである。
【００２２】
図５および図６において、電気温水器４は、電気ヒータ２８と温度センサー１４を備えたタンク１５を内部に備えており、電気ヒータ２８の加熱によりタンク１５内の水を設定温度まで温水化し、かつ保温する。設定温度に達したことを温度センサー１４で感知すると、ヒータ２８への通電を停止するしくみになっている。２９は電源をＯＮ−ＯＦＦする電気温水器４の電源入／切スイッチで、電気温水器４の側面に配置されている。また、図７は電気温水器４の外装ケース３０の構成を示すもので、電気温水器４の前面板３１および背面板３２はねじを外すことでそれぞれ単独に取外しできる構造となっている。他の構造は、本発明の第一の実施例と共通であるため省略する。
【００２３】
以上のように、本実施例においては、電気温水器の裏表を逆設置することで左右面どちらからでも配管を接続することができため、壁や障害物等で洗面器と電気温水器との位置関係が決まってしまう場合でも、配管も引き回す必要がなく施工が容易となり、配管の意匠性も向上する。
【図面の簡単な説明】
【図１】本発明の第一の実施形態を示す電気温水器１の左設置図
【図２】本発明の第一の実施形態を示す電気温水器１の右設置図
【図３】本発明の第二の実施形態を示す電気温水器２の設置図
【図４】本発明の第三の実施形態を示す電気温水器３の設置図
【図５】本発明の第四の実施形態を示す電気温水器４の左設置図
【図６】本発明の第四の実施形態を示す電気温水器４の右設置図
【図７】本発明の第四の実施形態を示す電気温水器４の外装ケース３０の構成図
【図８】従来の手洗い器に隣接した電気温水器１００の設置図
【符号の説明】
１…電気温水器
２…電気温水器
３…電気温水器
４…電気温水器
１０…手洗い器
１１…水栓
１２…電気ヒータ
１３…電気ヒータ
１４…温度センサー
１５…タンク
１６…切替スイッチ
１７…バルブ
１８…給水管
１９…減圧弁
２０…給湯管
２１…逃し弁
２２…膨張水排出管
２３…排水ホッパー
２４…排水管
２５…温度センサー
２６…温度センサー
２７…天地感知センサー
２８…電気ヒータ
２９…電源入／切スイッチ
３０…外装ケース
３１…前面板
３２…背面板
１００…電気温水器
１０１…手洗い器
１０２…電気ヒータ
１０３…温度センサー
１０４…水栓
１０５…バルブ
１０６…給水管
１０７…減圧弁
１０８…タンク
１０９…給湯管
１１０…逃し弁
１１１…膨張水排出管
１１２…排水ホッパー
１１３…排水管
【図１】
2004184014.tif 000003
【図２】
2004184014.tif 000004
【図３】
2004184014.tif 000005
【図４】
2004184014.tif 000006
【図５】
2004184014.tif 000007
【図６】
2004184014.tif 000008
【図７】
2004184014.tif 000009
【図８】
2004184014.tif 000010